(57)【要約】      （修正有）【課題】液体吐出ヘッドのクリーニングにおける吸引動作によりキャップ内に溜まった液体が、デキャップ時に垂れ難い液体を吐出する装置を提供する。【解決手段】液体が吐出されるノズルを有する液体吐出ヘッド１４と、液体吐出ヘッド１４のノズルが形成されたノズル面１４ｂに対して相対的に移動してノズル面１４ｂをキャッピングするキャップ部材７０と、を備え、キャップ部材７０は、ノズル面１４ｂと接触してノズル面１４ｂを密封するニップ部７２ｈと、ニップ部７２ｈの内側に配設され、液体吐出ヘッド１４のノズル面１４ｂに接触してノズル面１４ｂのインクを吸収する吸収部材７４と、を有し、吸収部材７４の先端は、キャップ部材７０の移動方向においてニップ部７２ｈの先端よりも突出して形成されている。【選択図】図５
2017100349.tif 000002
【特許請求の範囲】
【請求項１】
液体が吐出されるノズルを有する液体吐出ヘッドと、
前記液体吐出ヘッドの前記ノズルが形成されたノズル面に対して相対的に移動して前記ノズル面をキャッピングするキャップ部材と、
を備え、
前記キャップ部材は、
前記ノズル面と接触して前記ノズル面を密封するニップ部と、
前記ニップ部の内側に配設され、前記液体吐出ヘッドの前記ノズル面に接触してノズル面のインクを吸収する吸収部材と、
を有し、
前記吸収部材の先端は、前記キャップ部材の移動方向において前記ニップ部の先端よりも突出して形成されていることを特徴とする液体を吐出する装置。
【請求項２】
前記キャップ部材が前記ノズル面から離れる方向に移動したときに、前記ニップ部材が前記ノズル面から離れた後でも、前記吸収部材の少なくとも一部が前記液体吐出ヘッドの前記ノズル面に接触していることを特徴とする請求項１に記載の液体を吐出する装置。
【請求項３】
前記液体吐出ヘッドと前記キャップ部材とが水平面に対して傾斜配置され、前記吸収部材は、前記傾斜配置で相対的に上側に位置する部分と下側に位置する部分との形状が相異なっていることを特徴とする請求項１または２に記載の液体を吐出する装置。
【請求項４】
前記吸収部材は、前記傾斜配置で相対的に下側に位置する部分の体積が、上側に位置する部分の体積よりも大きくなっていることを特徴とする請求項１乃至３のいずれか１項に記載の液体を吐出する装置。
【請求項５】
前記吸収部材は、前記傾斜配置で相対的に下側に位置する部分の幅が、上側に位置する部分の幅よりも厚くなっていることを特徴とする請求項１乃至４のいずれか１項に記載の液体を吐出する装置。
【請求項６】
前記吸収部材は、前記傾斜配置で相対的に下側に位置する部分の高さが、上側に位置する部分の高さよりも高くなっていることを特徴とする請求項１乃至５のいずれか１項に記載の液体を吐出する装置。
【請求項７】
前記キャップ部材は、前記傾斜配置で相対的に下側に位置する部分の肉厚が、上側に位置する部分の肉厚よりも薄くなっていることを特徴とする請求項１乃至６のいずれか１項に記載の液体を吐出する装置。
【発明の詳細な説明】
【技術分野】
【０００１】
本発明は、液体吐出ヘッドを駆動して液体を吐出する装置（以下、液体吐出装置という）に関する。
【背景技術】
【０００２】
この種の液体吐出装置として、液体吐出ヘッドである記録ヘッドからインク液滴を吐出して、搬送される記録用紙に画像を形成するインクジェット記録装置がある。インクジェット記録装置には、記録ヘッドが主走査方向に移動しながらノズルからインク液滴を吐出して画像を形成するシリアル型や、主走査方向に複数設けられた記録ヘッドのノズルからインク液滴を吐出して画像を形成するライン型が知られている。これらのインクジェット記録装置においては、形成される画像の品質を保つために、ノズルの目詰まりや欠損などの不具合を解消するようクリーニング装置を備えたものがある。
【０００３】
このようなクリーニング装置として、例えば、記録ヘッドのノズル面にキャップ部材を密着させてキャップ部材内を負圧にすることでノイズ内の異物や気泡を除去するものがある（例えば、特許文献１参照）。
【０００４】
特許文献１には、吸引ポンプからの負圧を受けて記録ヘッドからインクを吸引排出するためのキャッピング手段を備えたインクジェット記録装置が開示されており、インク吸収部材がキャップ部材を囲繞するようにキャップホルダに取り付けられている。このインク吸収部材は、クリーニング時に記録ヘッド周辺部に廻り込んだ廃インクを吸収するものである。また、キャップ部材内にはインク吸収シートが収容され、記録ヘッドからのインクを吸収して一時的に保持する構成である。
【発明の概要】
【発明が解決しようとする課題】
【０００５】
しかしながら、回転する搬送ドラムにより記録用紙を搬送し、この搬送ドラムの周面に近接して配置した複数の記録ヘッドよりインクを吐出して記録用紙上に画像を形成するインクジェット記録装置においては、搬送ドラムの周面に沿って傾斜して配置される記録ヘッドが存在するものがある。
【０００６】
メンテナンス用のクリーニング装置は、各記録ヘッドに対向して設置される。よって、傾斜配置の記録ヘッドに対しては、同様に傾斜して配置されるクリーニング装置が対向して設けられる。
【０００７】
このクリーニング装置は、上述のように、液体吐出ヘッドである記録ヘッドのノズル面にキャップ部材を密着させて吸引ポンプ等により吸引してキャップ部材内を負圧にするものである（図１１（ａ）、（ｂ）参照）。よって、吸引後のキャップ部材内にはノズル等から吸い出されたインクが入っている。そのため、傾斜していないキャップ部材はもとより、傾斜配置されたキャップ部材では特に、図１１（ｃ）に示すように、吸引後にデキャップ（キャップ部材をノズル面から離間）すると、インクＫが垂れてインクジェット記録装置内を汚してしまうという問題があった。
【０００８】
本発明は、上述のような課題を解決するためになされたものであり、液体吐出ヘッドのクリーニングにおける吸引動作によりキャップ部材内に溜まった液体が、デキャップ時に垂れ難い液体吐出装置を提供することを目的とする。
【課題を解決するための手段】
【０００９】
本発明に係る液体吐出装置は、上述した課題を解決するために、液体が吐出されるノズルを有する液体吐出ヘッドと、前記液体吐出ヘッドの前記ノズルが形成されたノズル面に対して相対的に移動して前記ノズル面をキャッピングするキャップ部材と、を備え、前記キャップ部材は、前記ノズル面と接触して前記ノズル面を密封するニップ部と、前記ニップ部の内側に配設され、前記液体吐出ヘッドの前記ノズル面に接触してノズル面のインクを吸収する吸収部材と、を有し、前記吸収部材の先端は、前記キャップ部材の移動方向において前記ニップ部の先端よりも突出して形成されている。
【発明の効果】
【００１０】
本発明によれば、液体吐出ヘッドのクリーニングにおける吸引動作によりキャップ部材内に溜まった液体が、デキャップ時に垂れ難い液体吐出装置を提供することができる。
【図面の簡単な説明】
【００１１】
【図１】本発明の第１の実施形態に係るインクジェット記録装置の概略構成図である。
【図２】本発明の第１の実施形態に係るインクジェット記録装置に係り、図２（ａ）は記録ヘッドのモジュール構成を示す平面説明図であり、図２（ｂ）はインクジェット記録装置の要部構成図である。
【図３】本発明の第１の実施形態に係る画像形成部を示し、図３（ａ）は印刷時の斜視説明図であり、図３（ｂ）はメンテナンス時の斜視説明図である。
【図４】本発明の第１の実施形態に係るインク分配システムを示す構成図である。
【図５】本発明の第１の実施形態に係り、図５（ａ）はデキャップ状態の記録ヘッドとクリーニング装置の一部縦断面図であり、図５（ｂ）は一部横断面図である。
【図６】図５のＡ−Ａ断面図である。
【図７】図７（ａ）は、図５に示す記録ヘッドおよびクリーニング装置がキャッピング状態になる様子を示す正面説明図であり、図７（ｂ）はその側面説明図であり、図７（ｃ）は傾斜配置においてデキャップ状態に移行したときの様子を示す説明図である。
【図８】本発明の第２の実施形態に係り、図８（ａ）はデキャップ状態の記録ヘッドとクリーニング装置の一部縦断面図であり、図８（ｂ）は一部横断面図である。
【図９】図８のＢ−Ｂ断面図である。
【図１０】図１０（ａ）は、図８に示す記録ヘッドおよびクリーニング装置がキャッピング状態になる様子を示す正面説明図であり、図１０（ｂ）はその側面説明図であり、図１０（ｃ）は傾斜配置においてデキャップ状態に移行したときの様子を示す説明図である。
【図１１】従来技術に係り、図１１（ａ）は記録ヘッドがクリーニング装置によりキャッピングされているときの様子を示す正面説明図であり、図１１（ｂ）はその側面説明図であり、図１１（ｃ）は傾斜配置においてデキャップ状態に移行したときの様子を示す説明図である。
【発明を実施するための形態】
【００１２】
以下、本発明の実施の形態について、図面を参照して説明する。
【００１３】
［第１の実施形態］
本発明に係る液体吐出装置の第１の実施形態に関し、インクジェット記録装置を例にして、その構成について説明する。
なお、本実施形態においてインクジェット記録装置１は、インクジェット方式のプリンタ装置として構成しているが、ファクシミリ装置、印刷機、または複合機から構成してもよい。
【００１４】
図１に示すように、インクジェット記録装置１は、給紙部２０と、レジスト調整部３０と、画像形成部１０と、乾燥部４０と、排紙部５０と、を備えている。
【００１５】
給紙部２０は、記録用紙２２を積載し給紙する給紙トレイ２６と、給紙トレイ２６に積載された記録用紙２２を１枚ずつピックアップするエアー分離部２４と、を備えている。エアー分離部２４により１枚ずつピックアップされた記録用紙２２はレジスト調整部３０へ送られる。エアーを吹き付けて記録用紙２２を１枚ずつに分離するエアー分離方式の代わりに、給紙ローラでピックアップされた記録用紙２２を分離ローラで１枚ずつに分離する方式を用いてもよい。
【００１６】
レジスト調整部３０は、給紙部２０から送られてきた記録用紙２２のレジスト補正（タイミング調整）を行うレジストローラ３２を備えている。
【００１７】
図１および図２に示すように、画像形成部１０は、記録用紙２２を搬送する搬送ドラム１２と、搬送ドラム１２による搬送中に記録用紙２２にインク液滴を吐出し印字する液体吐出ヘッド（以下、実施の形態では記録ヘッドという）１４と、記録ヘッド１４のノズルをクリーニングするクリーニング手段であるキャップ部材７０（図３参照）と、を備えている。液体吐出ヘッド１４は、インクが吐出されるノズル１４ａを有している。キャップ部材７０は、液体吐出ヘッド１４のノズル１４ａが形成されたノズル面１４ｂに対して相対的に移動してノズル面１４ｂをキャッピングするよう構成されている。
【００１８】
搬送ドラム１２は、円筒形状であり、レジスト調整部３０から送られてきた記録用紙２２の先端を用紙グリッパ１６でくわえて、回転しながら搬送する構成になっている。用紙グリッパ１６は、搬送ドラム１２の外周上３か所に設けられている。これにより、ドラム１回転で３枚の記録用紙２２に画像形成が可能である。ドラム表面には複数のエアー吸引孔が形成されており、吸引ポンプにより搬送中の記録用紙２２をその裏面から吸引し、ドラム表面に密着、固定するようになっている。
【００１９】
搬送ドラム１２の上部には記録用紙２２に印字するインク液滴を吐出する記録ヘッド１４が設けられている。記録ヘッド１４は、インクを吐出するノズル１４ａを有し、ノズル面１４ｂが平面形状に形成され、ノズル面１４ｂの中程のエリアに対応しノズル面１４ｂより内方へ穿設された複数のノズル１４ａを有し（図６参照）、各ノズル１４ａに供給されるインク液滴を吐出するよう構成されている。
【００２０】
図３に示すように、この記録ヘッド１４は、記録用紙２２の通紙面（印刷される側の面）に対して離れる方向に上下移動自在であり、後のメンテナンス（クリーニング）時にキャップ部材７０が記録ヘッド１４の下部に入れるぐらいまで上昇することができる。
【００２１】
記録ヘッド１４は、図３に示すように、搬送ドラム１２の表面に沿って記録用紙２２のほぼ全幅にわたり構成されており、具体的には、図２（ａ）に示すように、１つの記録ヘッドモジュール１５が、記録ヘッド１４を千鳥に１１個並べた構成になっている。図２（ａ）では、ブラック（Ｋ）、マゼンタ（Ｍ）、シアン（Ｃ）、イエロー（Ｙ）のインクごとに、１つの記録ヘッドモジュール１５があり、計４個の記録ヘッドモジュール１５が設けられている。このように、記録ヘッドモジュール１５を色毎に複数個並べることで、画像を形成するようになっており、よって、記録用紙２２に印刷される画像の解像度は記録ヘッド１４の解像度に依存している。
【００２２】
図３（ａ）に示すように、搬送ドラム１２の上方後部には、記録ヘッド１４のノズル面１４ｂをクリーニングするキャップ部材７０が前後に移動可能に設けられている。キャップ部材７０は、各記録ヘッド１４に合わせて、記録ヘッド１４と同様に記録用紙２２のほぼ全幅にわたり千鳥配列に構成されている。それぞれのキャップ部材７０の下部には記録ヘッド１４からインクを吸引するため吸引ポンプ７６（図５（ａ）参照）が配置されている。
【００２３】
印刷終了後、メンテナンス時に、記録ヘッド１４をキャッピングし残存インクを吸引する場合や、記録ヘッド１４のノズル面１４ｂに付着したインクをワイパーブレードで清掃する場合には、印刷停止後、記録ヘッド１４が記録用紙２２の通紙面に対して離れる方向に上昇し、キャップ部材７０の挿入スペースを確保するようになっている（図３（ｂ）参照）。
【００２４】
次いで、図３（ｂ）に示すように、キャップ部材７０が、記録ヘッド１４の下部まで前方にスライドし、記録ヘッド１４が下降して、各記録ヘッド１４のクリーニング動作に移るよう構成されている。クリーニングが完了したら再び記録ヘッド１４が上部に退避し、キャップ部材７０が後方の位置に戻る。そして、記録ヘッド１４が搬送ドラム１２上の印字位置に下降し、印字可能な状態となる。
【００２５】
記録ヘッド１４の上部には、インクをそれぞれの記録ヘッド１４に供給するインク分配管９０が各色に配列されている。図４に示すように、記録ヘッドモジュール１５を構成する各記録ヘッド１４は、故障時に交換可能なようにカップリング９２等によりインク分配管９０に接続されている。インク分配管９０の上流側にはサブタンク９４が配置され、サブタンク９４と記録ヘッド１４との水頭差（−２０〜−７０ｍｍＡｑ）によって、記録ヘッド１４のノズルのメニスカスを保持するのに適切な負圧に保たれる。
【００２６】
サブタンク９４は、可撓性のパックとして構成されている。可撓性のパックを使用することにより、インクと大気を直接触れさせないようにして、インクの水分蒸発による粘度上昇を防ぐことができると共に、インク中の溶存酸素量を一定に保って記録ヘッド１４のノズル内に気泡が溜まるのを防ぐことができる。パックの材料としては、ガスバリア性の高いフィルム、或いはアルミニウムを利用することができる。
【００２７】
また、サブタンク９４の上流側にはインクを貯蔵するメインタンクが配置されている。サブタンク９４とメインタンクとは、チューブにより接続されており、供給経路を形成している。サブタンク９４には、パック内のインク量を検知するセンサ（例えば、パックのふくらみ具合を検知するセンサフィラー等）が設置されており、パック内のインク残量に応じて、メインタンクからサブタンク９４にインクが供給されるようになっている。
【００２８】
乾燥部４０は、図１に示すように、乾燥ユニット４２を備えている。画像形成部１０から送られてくる画像形成済みの記録用紙２２が、この乾燥ユニット４２の下を通過することによってインク中の水分を蒸発させ、記録用紙２２のカールを防止している。
【００２９】
また、乾燥部４０には両面印刷のための用紙反転部６０と用紙反転搬送部６２が設けられている（図１参照）。両面印刷時に、用紙反転部６０が、記録用紙２２の搬送方向を切り替え、用紙反転搬送部６２が、搬送方向が切り換えられた記録用紙２２を画像形成部１０へ搬送するよう構成されている。また、この反転搬送路には搬送ドラム１２の手前側にレジストローラ６４が設けられ、タイミング調整を行うようになっている。
【００３０】
排紙部５０は、印刷された記録用紙２２を排紙し積載する排紙トレイ５２を備えている。排紙トレイ５２は、記録用紙２２の幅方向に規制する一対のサイドフェンスと記録用紙２２の先端を規制するエンドフェンスとを備えて構成されている。
【００３１】
なお、インクジェット記録装置１は、上述したように、ノズルからインク液滴を吐出する記録ヘッド１４が記録用紙２２のほぼ全幅にわたりライン構成をしたライン型インクジェット記録装置であるが、シリアル型であってもよいことは勿論である。また、インクジェット記録装置１は、サブタンク９４と記録ヘッド１４との水頭差によって記録ヘッド１４内のインクを負圧に維持する水頭差方式インクジェット記録装置であるが、サブタンク９４内に収容したスポンジ状のインク吸収部材の毛細管現象を利用して負圧を形成する方式や、サブタンク１４内を負圧に維持するように、サブタンク９４の少なくとも一部を形成する可撓性部材をサブタンク９４外方に付勢するばねなどの付勢手段を備えた方式により負圧を発生するなど他の方式であってもよい。
【００３２】
次に、インクジェット記録装置１の動作を説明する。
まず、給紙部２０の給紙トレイ２６に積載された記録用紙２２が、エアー分離部２４によって１枚ずつピックアップされてレジスト調整部３０に送られる。
【００３３】
レジスト調整部３０では、レジストローラ３２によって記録用紙２２のレジスト補正（タイミング調整）が行われる。
【００３４】
タイミング調整された記録用紙２２は、画像形成部１０に送られる。画像形成部１０では、円筒形状の搬送ドラム１２の表面に設けられた用紙グリッパ１６によって記録用紙２２がその先端を挟まれ、記録ヘッド１４の方向へ搬送される。この際、搬送ドラム１２の表面に開けられたエアー吸引孔から、記録用紙２２の全体が裏面からエアー吸引されドラム表面に密着させた状態で、搬送される。
【００３５】
記録用紙２２が、所定のインク色を充填した状態の記録ヘッド１４の下部に送られると、記録ヘッド１４のノズルから記録用紙２２に向けてインクが吐出され、記録用紙２２に画像が形成される。
【００３６】
記録用紙２２は、その表面上に画像形成が行われた後、乾燥部４０に送られる。乾燥部４０に設けられた乾燥ユニット４２の下を記録用紙２２が通過することでインク中の水分が蒸発し、記録用紙２２のカールを防止している。
【００３７】
両面印刷時には、乾燥部４０に設けられた用紙反転部６０により、記録用紙２２の搬送方向が切り替えられ、用紙反転搬送部６２によって画像形成部１０の方向に送られる。搬送ドラム１２に達する前にレジストローラ６４によって記録用紙のレジスト（タイミング）が調整される。画像形成部１０では、前述と同様に記録用紙２２の裏面に画像形成が行なわれる。
【００３８】
乾燥部４０を通過した記録用紙２２は排紙部５０に搬送され、記録用紙２２が整然と揃えられた状態で積載される。
【００３９】
次に、キャップ部材７０について詳細に説明する。
キャップ部材７０は、ノズル面１４ｂと接触してノズル面１４ｂを密封するニップ部７２ｈと、ニップ部７２ｈの内側に配設され、液体吐出ヘッド１４のノズル面１４ｂに接触してノズル面１４ｂのインクを吸収する吸収部材７４と、を有し、吸収部材７４の先端は、キャップ部材７０の移動方向においてニップ部７２ｈの先端よりも突出して形成されている。
【００４０】
具体的には、キャップ部材７０がノズル面１４ｂから離れる方向に移動したときに、ニップ部材７２ｈがノズル面１４ｂから離れた後でも、吸収部材７４の少なくとも一部が液体吐出ヘッド１４のノズル面１４ｂに接触しているように構成されている。
【００４１】
また、キャップ部材７０のキャップ本体７２には、負圧発生手段である吸引ポンプ７６に接続された吸引口７２ｆを一側面に有している。吸収部材７４は、キャップ部材７０のキャップ本体７２のニップ部７２ｈよりも外方に突出している連続多孔質でかつ弾性変形可能な有底筒状である。
【００４２】
キャップ部材７０は、クリーニング時に、吸収部材７４が記録ヘッド１４のノズル１４ａを囲んだ状態に記録ヘッド１４のノズル面１４ｂに当接して圧縮され、かつ、キャップ本体７２のニップ部７２ｈが記録ヘッド１４のノズル面１４ｂに密着してキャップ本体７２内に密閉空間を形成し、吸引口７２ｆからノズル面１４ｂに残存するインクを吸収部材７４に吸引するようになっている。
ここで、ノズル面１４ｂにおいて吸収部材７４が当接する領域は、図７に示すように、全てのノズル１４ａを囲んだ矩形枠状の領域であり、ノズル面１４ｂにおいてキャップ本体７２が密着する領域は、吸収部材７４が密接する矩形枠状の領域を、若干の間隔を開けて更に取り囲んだ矩形枠状の領域である。
【００４３】
このような構成にすることで、クリーニング後にキャップ部材７０を記録ヘッド１４から離間した時に、吸収部材７４が元の形状に膨張するので、その膨張した吸収部材７４がキャップ本体７２内のインクを吸収することができる。これにより、比較的簡単な構成で、デキャップ時にキャップ本体７２内のインクが垂れることを防止することができる。
【００４４】
キャップ部材７０は、そのニップ部７２ｈをノズル面１４ｂに密着させて、ノズルから残留インクを吸引する機能を有する他にも、ノズルを外気から遮断して、ノズルの乾燥を防ぐ保湿機能も有している。
【００４５】
キャップ本体７２は、全体が合成樹脂からなるが、ニップ部７２ｈの記録ヘッド側の端部はゴム等の弾性体で構成されていてもよい。このように構成すると、吸引時に、キャップ本体７２のニップ部７２ｈを記録ヘッド１４のノズル面１４ｂにしっかり密着させることができ、負圧を付与して残存インクを確実に吸引することができる。
【００４６】
吸収部材７４は、具体的には、筒壁部７４ａ〜７４ｄとその一端側を閉じる底壁部７４ｅとを備えた有底筒状であり、キャップ本体７２の側壁部７２ａ〜７２ｄの内周面から内方に突出した凸形状の吸収部材受部７２ｇ上に配置している。また、吸収部材７４の底面と吸収部材受部７２ｇとの間、あるいは、吸収部材７４の外周面とキャップ本体７２の側壁部７２ａ〜７２ｄの内周面との間を接着剤やシール充填剤などで密着接合している。吸収部材７４の底壁部７４ｅの下部は吸引されたインクを一時的に貯留しおく貯留空間７５が形成されている。
【００４７】
吸収部材７４に吸収されたインクは、吸収部材７４が連続多孔質から構成されているためメニスカスが張っており、漏れることはない。また、吸収部材７４を有底筒状ではなく柱状にしてその先端全面をノズル面１４ｂの密着させておけば、吸収部材７４の上部に残留インクは溜まらなくなるので、吸収部材７４からインクが漏れることはなくなる。しかしながら、吸収部材７４をノズル面１４ｂのノズル１４ａに密着させるのは、ノズルに異物が入り、あるいは吸収部材７４が離れるときに気泡が発生するなどの理由から、好ましくない。
【００４８】
吸収部材７４は、ポリビニルアルコール（ＰＶＡ）、エチレン酢酸ビニルコポリマー（ＥＶＡ）、ポリエチレン（ＰＥ）、ポリウレタン（ＰＵ）などからなり、吸引時はインクを通過させ、インク通過後もインクを保持するようになっている。これにより、キャッピング（キャップ部材７０をノズル面１４ｂに密着）後、吸引しない状態のときに、保湿機能を発揮するのでノズル面１４ｂの乾燥を防ぐことができる。
【００４９】
キャップ本体７２の吸引口７２ｆには、チューブ７８を介して吸引ポンプ７６が接続されている。
【００５０】
この構成において、記録ヘッド１４のメンテナンス（ノズル内の気泡や異物を除去）のため、残存インクを吸引する場合、記録ヘッド１４のノズル面１４ｂにキャップ本体７２を密着させ、吸引ポンプ７６を作動させて吸引を行う。吸引後、デキャップ（キャップ部材７０を記録ヘッド１４から離間）し、ワイパーブレードでノズル面１４ｂに残存するインクを拭き取るようになっている。次いで、ノズルにメニスカスを形成し、印字を行うようになっている。
【００５１】
また、図３、図５に示すように、記録ヘッド１４とキャップ部材７０とが水平面に対して傾斜配置され、吸収部材７４は、その筒壁部のうち傾斜配置で相対的に上側に位置する部分（筒壁部７４ａ）と下側に位置する部分（筒壁部７４ｂ）との形状が相異なっている。
【００５２】
具体的には、吸収部材７４の筒壁部のうち傾斜配置で相対的に下側に位置する部分（筒壁部７４ａ）の体積が、上側に位置する部分（筒壁部７４ｂ）の体積よりも大きくなっている。
【００５３】
図５に示すデキャップ状態のキャップ部材７０は、実際には、水平面に対して傾斜して配置される記録ヘッド１４に対向し、同様に傾斜して配置されている。具体的には、キャップ部材７０は、図５（ｂ）の横断面図において左側が上がる（或いは右側が下がる）ように所定の傾斜角度だけ傾斜した状態で設置されている。
【００５４】
図５では、吸収部材７４の筒壁部７４ａ〜７４ｄのうち傾斜配置で相対的に下側に位置する部分（筒壁部７４ａ）の幅が、上側に位置する部分（筒壁部７４ｂ）の幅よりも厚くなっている。
【００５５】
また、図５に示すように、吸収部材７４はデキャップ状態のときキャップ部材７０より例えば２〜５ｍｍ程度出っ張っており、キャッピング時には、キャップ本体７２だけでなく吸収部材７４もノズル面１４ｂに密着する構成になっている。また、図６に示すように、キャップ本体７２と吸収部材７４とは、ノズル面１４ｂに密着しているが、その際、ノズル１４ａには接触しない構成になっている。また、吸収部材７４の筒壁部７４ａ〜７４ｄの幅を厚くする度合いは、傾斜角度に応じて変更するようにしてもよい。例えば、傾斜角度が１０°のキャップ部材７０で、吸収部材７４の筒壁部７４ａの幅を筒壁部７４ｂの幅より２ｍｍ厚くしている場合、傾斜角度が２０°のキャップ部材７０では、吸収部材７４の筒壁部７４ａの幅を筒壁部７４ｂの幅より４ｍｍ厚くするようにしてもよい。
【００５６】
このような構成により、図７（ｃ）に示すように、吸引後、デキャップ時に、吸収部材７４が膨れ上がり、その分体積が増えるため、吸収部材７４上部のインクをせき止め、吸収することができる。しかも、吸収部材７４の筒壁部７４ａ〜７４ｄのうち傾斜配置で相対的に下側に位置する筒壁部７４ａの幅（体積）が、上側に位置する筒壁部７４ｂの幅（体積）よりも大きいので、デキャップ時に下側の体積の増加分が上側より大きくなってより多くのインクを吸収するので、傾斜配置であっても、デキャップ時にキャップ本体７２内のインクが垂れることを効果的に防止することができる。
【００５７】
上述のように、吸収部材７４は、キャッピング時にノズル面１４ｂに押し付けられて、つぶされる構成である。しかし、吸収部材７４はまったくインクを保持できないほどつぶされるものではなく、ある程度のインクを保持している。また、外側のキャップ本体７２でノズル面１４ｂを外気から遮断している。よって、吸収部材７４はノズルを保湿するという機能を十分に発揮することができる。
【００５８】
［第２の実施形態］
次に、第２の実施形態について説明する。
図８〜１０は、本発明の第２の実施形態に係るキャップ部材８０を示している。第２の実施形態は、吸収部材８４の形状が第１の実施形態と相違しているのみであり、その他の構成要素については、第１の実施形態と同一の符号を付して、構成、作用、効果の説明を省略する。
【００５９】
図８に示すデキャップ時のキャップ部材８０は、実際には、水平面に対して傾斜して配置される記録ヘッド１４に対向し、同様に傾斜して配置されている。具体的には、キャップ部材８０は、図８（ｂ）の横断面図において左側が上がる（或いは右側が下がる）ように所定の傾斜角度だけ傾斜した状態で設置されている。
【００６０】
第２の実施形態では、図８に示すように、吸収部材８４は、その筒壁部８４ａ〜８４ｄのうち、傾斜配置で相対的に下側に位置する部分（筒壁部８４ａ）の高さが、上側に位置する部分（筒壁部８４ｂ）の高さよりも高くなっている。例えば、筒壁部８４ａは筒壁部８４ｂよりも３〜５ｍｍほど高くなっている。
【００６１】
図８に示すように、吸収部材８４は、デキャップ状態のときキャップ本体７２より２〜５ｍｍ程度突出しており、キャッピング時には、キャップ本体７２だけでなく吸収部材８４もノズル面１４ｂに密着する構成になっている。また、図９に示すように、キャップ本体７２と吸収部材８４がノズル面１４ｂに密着していても、ノズル１４ａには触れない構成になっている。また、吸収部材８４の筒壁部８４ｃ、８４ｄの高さは傾斜下側にくるほど高くなる構成になっている。その高さは低い部分から３〜５ｍｍほど徐々に高くなるようになっている。また、底壁部８４ｅについても、傾斜下側にくるほど徐々に厚くなるようにしてもよい。また、吸収部材８４の筒壁部８４ａ〜８４ｄを高くする度合いは、傾斜角度に応じて変更するようにしてもよい。例えば、傾斜角度が１０°のキャップ部材８０で、吸収部材８４の筒壁部８４ａの高さを筒壁部８４ｂの高さより２ｍｍ高くしている場合、傾斜角度が２０°のキャップ部材８０では、吸収部材８４の筒壁部８４ａの高さを筒壁部８４ｂの高さより４ｍｍ高くするようにしてもよい。
【００６２】
このような構成にすることで、図１０（ｃ）に示すように、吸引後、デキャップ時に、吸収部材８４が膨れ上がり、その分体積が増えることに加え、傾斜下側の吸収部材８４の筒壁部８４ａの高さが高いので、吸収部材８４上部に残留しているインクを効果的にせき止め、かつより多く吸収することができる。よって、キャップ部材８０が傾斜していてもデキャップ時にインクが垂れることはない。
【００６３】
［変形例］
また、キャップ部材７０、８０の傾斜配置に応じて吸収部材７４、８４の形状を上記のように変形させることに加えて、キャップ部材７０のキャップ本体７２に関して、傾斜配置で相対的に下側に位置する部分（側壁部７２ａ）の肉厚が、上側に位置する部分（側壁部７２ｂ）の肉厚よりも薄くなるようにしてもよい。
【００６４】
このような構成により、キャップ部材７０のキャップ本体７２において傾斜配置で相対的に下側に位置する側壁部７２ａの肉厚が、上側に位置する側壁部７２ｂの肉厚よりも薄いので、吸収部材７４、８４の体積が変化するスペースを確保し、吸収力を高めることができるとともに、吸収部材７４、８４を圧縮する際に妨げとなるキャップ本体７２の弾性力を小さくすることができる。
【００６５】
なお、本明細書および特許請求の範囲において、「液体を吐出する装置」または「液体吐出装置」は、液体吐出ヘッド又は液体吐出ユニットを備え、液体吐出ヘッドを駆動させて、液体を吐出させる装置である。液体吐出装置には、液体が付着可能なものに対して液体を吐出することが可能な装置だけでなく、液体を気中や液中に向けて吐出する装置も含まれる。
【００６６】
この「液体吐出装置」は、液体が付着可能なものの給送、搬送、排紙に係わる手段、その他、前処理装置、後処理装置なども含むことができる。
【００６７】
例えば、「液体吐出装置」として、インクを吐出させて記録用紙に画像を形成する装置である画像形成装置、立体造形物（三次元造形物）を造形するために、粉体を層状に形成した粉体層に造形液を吐出させる立体造形装置（三次元造形装置）がある。
【００６８】
また、「液体吐出装置」は、吐出された液体によって文字、図形等の有意な画像が可視化されるものに限定されるものではない。例えば、それ自体意味を持たないパターン等を形成するもの、三次元像を造形するものも含まれる。
【００６９】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録用紙、電子基板、圧電素子などの電子部品、粉体層（粉末層）、臓器モデル、検査用セルなどの媒体であり、特に限定しない限り、液体が付着するすべてのものが含まれる。
【００７０】
上記「液体が付着可能なもの」の材質は、紙、糸、繊維、布帛、皮革、金属、プラスチック、ガラス、木材、セラミックスなど液体が一時的でも付着可能であればよい。
【００７１】
また、「液体」は、液体吐出ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００７２】
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００７３】
また、「液体吐出装置」としては他にも、用紙の表面を改質するなどの目的で用紙の表面に処理液を塗布するために処理液を用紙に吐出する処理液塗布装置、原材料を溶液中に分散した組成液をノズルを介して噴射させて原材料の微粒子を造粒する噴射造粒装置などがある。
【００７４】
以上説明したように、本発明に係る液体吐出装置は、液体吐出ヘッドのクリーニングにおける吸引動作によりキャップ内に溜まった液体が、デキャップ時に垂れ難いという効果を有し、液体吐出ヘッドを駆動して液体を吐出する液体吐出装置の全般に有用である。
【符号の説明】
【００７５】
１  インクジェット記録装置（液体を吐出する装置）
１４  記録ヘッド（液体吐出ヘッド）
１４ａ  ノズル
１４ｂ  ノズル面
７０  キャップ部材
７２ｈ  ニップ部
７４、８４  吸収部材
８０  キャップ部材
【先行技術文献】
【特許文献】
【００７６】
【特許文献１】特許第３６０３３０３号公報
【図１】
2017100349.tif 000003
【図２】
2017100349.tif 000004
【図３】
2017100349.tif 000005
【図４】
2017100349.tif 000006
【図５】
2017100349.tif 000007
【図６】
2017100349.tif 000008
【図７】
2017100349.tif 000009
【図８】
2017100349.tif 000010
【図９】
2017100349.tif 000011
【図１０】
2017100349.tif 000012
【図１１】
2017100349.tif 000013